(57)【要約】【課題】  瞳孔径の正確な測定を可能にして、眼内レンズ挿入術や角膜屈折矯正手術の治療成績を向上させる瞳孔撮影装置を提供すること。【解決手段】  被験者の眼の前面に配置される第１の開口部と、正面を向いた上記被験者の視線に交差する第２の開口部とを有し、上記被験者に日常視を提供する筐体と、上記視線に対して斜めに配置され、上記第２の開口部から入射する可視光を透過し、上記被験者の眼に照射された赤外線を反射する反射鏡と、上記反射鏡によって反射された上記赤外線が形成する赤外線像を撮影する撮像装置を具備すること。【選択図】    図１
2010268900.tif 000002
【特許請求の範囲】
【請求項１】
被験者の眼の前面に配置される第１の開口部と、正面を向いた前記被験者の視線に交差する第２の開口部とを有し、前記被験者に日常視を提供する筐体と、
前記視線に対して斜めに配置され、前記第２の開口部から入射する可視光を透過し、前記被験者の眼に照射された赤外線を反射する反射鏡と、
前記反射鏡によって反射された前記赤外線が形成する赤外線像を、撮影する撮像装置を、
具備する瞳孔撮影装置。
【請求項２】
請求項１に記載の瞳孔撮影装置において、
前記筐体は、少なくても前記第２の開口部を囲む透光性の部材を有することを、
特徴とする瞳孔撮影装置。
【請求項３】
請求項２に記載の瞳孔撮影装置において、
前記部材が、可視光に対して透明であることを、
特徴とする瞳孔撮影装置。
【請求項４】
請求項１乃至３の何れか１項に記載の瞳孔撮影装置において、
矯正レンズを着脱自在に保持する矯正レンズ保持部材を具備することを、
特徴とする瞳孔撮影装置。
【請求項５】
請求項１乃至４の何れか１項に記載の瞳孔撮影装置において、
矯正レンズ保持具が装着される装着部材を具備することを、
特徴とする瞳孔撮影装置。
【請求項６】
請求項１乃至５の何れか１項に記載の瞳孔撮影装置において、
前記第１の開口部及び前記第２の開口部が、前記被験者の右眼及び左眼の双方に対して設けられていることを、
特徴とする瞳孔撮影装置。
【請求項７】
被験者の眼の前面に配置される第１の開口部と、正面を向いた前記被験者の視線に交差する第２の開口部と、前記第２の開口部を囲む透光性の部材を有する筐体と、
前記視線に対して斜めに配置され、前記第２の開口部から入射する可視光を透過し、前記被験者の眼に照射された赤外線を反射する反射鏡と、
前記反射鏡によって反射された前記赤外線が形成する赤外線像を撮影する撮像装置を具備する、
瞳孔撮影装置。
【請求項８】
被験者の眼の前面に配置される第１の開口部と、正面を向いた前記被験者の視線に交差する第２の開口部を有する筐体と、 
前記視線に対して斜めに配置され、前記第２の開口部から入射する可視光を透過し、前記被験者の眼に照射された赤外線を反射する反射鏡と、 
前記反射鏡によって反射された前記赤外線が形成する赤外線像を撮影する撮像装置を具備し、   
前記第１の開口部及び前記第２の開口部が、前記被験者の右眼及び左眼の双方に対して設けられていることを、 
特徴とする瞳孔撮影装置。 
【請求項９】
明るい環境下で瞳孔径を測定する瞳孔径の測定方法。
【発明の詳細な説明】
【技術分野】
【０００１】
本発明は、瞳孔径の測定方法及び瞳孔撮影装置に関する。
【背景技術】
【０００２】
近年、白内障の治療では、取り出した水晶体の代わりに、非球面眼内レンズや多焦点眼内レンズを挿入する眼内レンズ挿入術が盛んに行われている。しかし、これら眼内レンズを用いた場合、術後の視力は、瞳孔の大きさによって微妙に変化する。
【０００３】
また、レーザで角膜を削って近視を治療する屈折矯正手術が、近年盛んに行われている。この手術では、角膜を削る範囲が瞳孔より十分に大きくないと、期待通りの視力回復が望めない。
【０００４】
このような背景の下、近年、瞳孔径の正確な測定の重要性が再認識されている。
【０００５】
瞳孔径は、被験者の眼を撮影し、得られた画像を解析して求められる。現在、治療現場で採用されている瞳孔撮影装置は、指標を注視する被験者の眼をハーフミラーに映して、その像をＣＣＤ(Charge Coupled Device)カメラで撮影する装置である。
【０００６】
この瞳孔撮影装置は、ハーフミラーと、ハーフミラーに映った被験者の眼を撮影するＣＣＤ(Charge Coupled Device)カメラと、これらを格納する筒状の筐体を有している。この筐体の側面には、一対の開口部が開けられている。これら開口部の間に、上記ハーフミラーが斜めに配置され、その下側にはＣＣＤカメラが配置されている。
【０００７】
被験者は、開口部の一方に設けられた接眼部に片眼を当て、他方の開口部を通して指標を注視する。この時、ハーフミラーに映った被験者の眼が、ＣＣＤカメラによって撮影される。その後、撮影した画像を画像処理装置で解析して、瞳孔径を求める。
【０００８】
このようにして得られた瞳孔径に基づいて、治療方針が決定され、眼内レンズ挿入術や角膜屈折矯正手術が行われる。
【先行技術文献】
【特許文献】
【０００９】
【特許文献１】特開２００２−３２５７３４号公報
【発明の概要】
【発明が解決しようとする課題】
【００１０】
しかし、従来の瞳孔撮影装置を用いて瞳孔径を測定し治療方針を決定しても、期待通りに視力が回復しない場合がある。
【００１１】
そこで、本発明の目的は、眼内レンズ挿入術や屈折矯正手術の治療成績を向上させる瞳孔径測定装置を提供することである。
【課題を解決するための手段】
【００１２】
上記の目的を達成するために、本発明の瞳孔撮影装置は、被験者の眼の前面に配置される第１の開口部と、正面を向いた前記被験者の視線に交差する第２の開口部とを有し、上記被験者に日常視を提供する筐体と、上記視線に対して斜めに配置され、上記第２の開口部から入射する可視光を透過し、上記被験者の眼に照射された赤外線を反射する反射鏡と、上記反射鏡によって反射された上記赤外線が形成する赤外線像を撮影する撮像装置を具備する。
【００１３】
また、上記の目的を達成するために、本発明の瞳孔径の測定方法では、明るい環境下で瞳孔径を測定する。
【発明の効果】
【００１４】
本発明によれば、日常視と同じ状態で瞳孔を撮影することができるので、眼内レンズ挿入術や角膜屈折矯正手術の治療成績が向上する。
【図面の簡単な説明】
【００１５】
【図１】実施例１の瞳孔撮影装置の斜視図である。
【図２】実施例１の瞳孔撮影装置の上面図である。
【図３】図２の矢印IIIの方向から見た、実施例１の瞳孔撮影装置の側面図である。
【図４】図２のIV-IV線に於ける断面図である。
【図５】図３のV-V線に於ける断面図である。
【図６】実施例１の瞳孔径測定装置の構成を説明するブロック図である。
【図７】撮像装置に取り込まれた画像の一例である。
【図８】瞳孔径の測定手順を説明するフローチャートである。
【図９】瞳孔径の時間変化の一例を説明するグラフである。
【図１０】実施例２の瞳孔撮影装置の斜視図である。
【図１１】図１０のXI方向から見た、実施例２の瞳孔撮影装置の側面図である。
【図１２】図１０のXII線に沿って矢印の方向に切断された、実施例２の瞳孔撮影装置の断面図である。
【発明を実施するための形態】
【００１６】
以下、図面にしたがって本発明の実施の形態について説明する。但し、本発明の技術的範囲はこれらの実施の形態に限定されず、特許請求の範囲に記載された事項とその均等物まで及ぶものである。尚、図面が異なっても対応する部分には同一符号を付し、その説明を省略する。
【００１７】
従来の瞳孔撮影装置を装着すると、被験者が見渡せる外界の範囲は、視野中心部に限られてしまう。この時、視野の周辺部は、遮光された筐体によって遮られ、真っ暗になっている。すなわち、日常生活に比べ、被験者の視野は狭くなり、被験者の眼に届く光の量（照度）は小さくなる。このように、従来は、日常視（日常生活に於ける見え方）とは異なる状態で、瞳孔の撮影が行われていた。
【００１８】
このため、従来の瞳孔撮影装置によって撮影された瞳孔の大きさは、日常視に於ける瞳孔径と異なっていた。故に、従来の瞳孔撮影装置で瞳孔を撮影して治療方針を決定しても、期待通りの治療結果が得られない場合があった。
【００１９】
すなわち、眼内レンズ挿入術や屈折矯正手術に於いて、時として期待通りの治療結果が得られない原因は、日常視とは異なる状態で、瞳孔の撮影が行われていたことにある。そして、上記説明から明らかなように、従来の瞳孔撮影装置において、日常視を困難にしていたものは、瞳孔撮影装置の筐体である。
【００２０】
そこで、本実施の形態では、瞳孔撮影装置の筐体を、被験者に日常視を提供する筐体とする。このような筐体は、例えば、可視光に対して透明な材料（以下、透明な材料と呼ぶ）によって形成することができる。透明な材料で形成された筐体は、被験者の視野を遮らず、被験者の瞳孔位置に於ける可視光の照度を減少させないので、日常視を提供することができる。
【００２１】
このような瞳孔撮影装置によれば、日常視と同じ状態で瞳孔を撮影することができるので、眼内レンズ挿入術や角膜屈折矯正手術の治療成績が向上する。
【００２２】
尚、本瞳孔撮影装置を用いて瞳孔を撮影し、その画像に基づいて瞳孔径を測定すれば、日常視に於ける瞳孔径を測定することができるが、この方法は、日常生活と同程度の明るい環境下で、瞳孔径を測定する方法に他ならない。
【実施例１】
【００２３】
（１）構  成
図１は、本実施例の瞳孔撮影装置２の斜視図である。図２は、本瞳孔撮影装置２の上面図である。図３は、図２の矢印IIIの方向から見た、本瞳孔撮影装置２の側面図である。
【００２４】
図４は、図２のIV-IV線に於ける断面図である。図５は、図３のV-V線に於ける断面図である。尚、図４及び５には、被験者の眼18も描かれている。尚、図４及び５に破線で示された部材は、各断面上にはない部材である。
【００２５】
本瞳孔撮影装置２は、図１乃至３に示すように、一対の筐体４ａ,４ｂと、筐体４ａ,４ｂを連結する左右眼連結部８a,８ｂと、筐体４ａ,４ｂを被験者の顔に固定するベルト６と、ベルト６を筐体４ａ,４ｂに固定するベルト固定具７と、ダイクロイックミラー１０a,１０ｂを有している。尚、図１乃至５において斜線が施された部分は、透明な材料（例えば、ポリカボネイトやアクリル）で形成されている。
【００２６】
また、筐体４ａ,４ｂは、図２及び３に示すように、本体部１２a,１２ｂと、接眼部１４a,１４ｂと、ケーブル（図示せず）を覆うカバー１６a,１６ｂを有している。尚、図３では、カバー１６a,１６ｂは、省略されている。
【００２７】
以下、図４及び５を参照して、筐体４ａ及びその内部構造を説明する。図２に示すように、本瞳孔撮影装置２は、中心面２０に対して対称な構造を有している。従って、筐体４ｂ及びその内部構造は、筐体４ａ及びその内部構造と、略同じである。由って、その説明は省略する。
【００２８】
筐体４ａの内部には、撮像装置１１ａと、矯正レンズ保持部材１３と、LED(Light Emitting Diode)からなる赤外線発光素子１５が、取り付けられている（図４及び５参照）。撮像装置１１ａ及び赤外線発光素子１５には、上記ケーブルが接続されている。
【００２９】
図４及び５に示すように、筐体４ａは、被験者の眼１８の前面に配置される第１の開口部２２と、第１の開口部２２に対向し、正面を向いた被験者の視線２６に交差する第２の開口部２４を有している。
【００３０】
この第１の開口部２２は接眼部１４ａによって周囲が囲われており、接眼部１４ａは、被験者の眼１８の周囲を覆うように、被験者の顔に当てられる。
【００３１】
一方、第２の開口部２４には、ダイクロイックミラー１０ａが、正面を見ている被験者の視線２６に対して斜めに配置される。ダイクロイックミラー１０ａの視線に対する角度は、例えば、４５°である。ここで、図４乃至５に示すように、筐体４ａ,４ｂは、第２の開口部２４を囲む透明な部材２５を有している。この透明な部材２５は、筐体４ａの他の部分と一体成型されてもよいし、他の部分と別々に成型された後、他の部分と一体化されてもよい。
【００３２】
このダイクロイックミラー１０ａは、可視光（470nm〜780nm）を略１００％透過し、近赤外線（820nm〜1000nm）を略１００％反射する誘電体多層膜からなる反射鏡である。
【００３３】
このように、ダイクロイックミラー１０ａは、可視光を略１００％透過する。従って、外界で発生し、第２の開口部２４に入射する可視光は、殆ど減衰することなく、ダイクロイックミラー１０ａを透過し、その後、第１の開口部２２を通過して、被験者の眼１８に到達する。
【００３４】
ところで、図５に示すように、本体部１２ａの接眼部近傍には、赤外線発光素子１５が取り付けられている。赤外線発光素子１５の発光波長は、例えば８７０ｎｍである。赤外線発光素子１５が発光すると、例えば波長８７０ｎｍの近赤外線が被験者の眼１８に照射される。ここで、赤外線（近赤外線を含む）は人には見えないので、被験者の眼に赤外線を照射しても、対光反応によって瞳孔径が変化することはない。
【００３５】
被験者の眼１８に照射された近赤外線は散乱され、その一部がダイクロイックミラー１０ａに向かって進む。図４に示すように、ダイクロイックミラー１０ａに到達した近赤外線２８は、ダイクロイックミラー１０ａによって反射され進行方向を変えて、撮像装置１１ａに入射する。そして、撮像装置１１ａによって、被験者の眼１８の赤外線像が撮影される。
【００３６】
尚、撮像装置１１ａは、受光レンズ４６とＣＣＤ撮像素子４８からなるカメラである。尚、本実施例のＣＣＤ撮像素子４８は、Ｓｉで形成されている。従って、撮像装置１１ａは、近赤外線像を撮影することができる。
【００３７】
上述したように、ダイクロイックミラー１０ａ,１０ｂは、可視光を略１００％透過する。更に、ダイクロイックミラー１０ａ,１０ｂを囲む部材２５（図１乃至５の斜線部参照）が、可視光に対して透明な材料で形成されている。従って、被験者の眼１８には、視線２６を中心とする広い範囲の外界から、可視光が到達する。故に、本瞳孔撮影装置２によれば、被験者の眼１８には、日常と変わらない照度の可視光が外界から入射する。
【００３８】
一方、従来の瞳孔撮影装置では、ダイクロイックミラー１０ａ,１０ｂではなく、可視光を５０％透過し５０％反射するハーフミラーが用いられている。しかも、遮光された筐体内に、ハーフミラーが設置されている。従って、被験者の眼に届く可視光の照度は、指標が置かれた環境の照度（環境照度）より小さくなってしまう。このような場合、瞳孔径は、日常視より大きくなる。
【００３９】
また、筐体４ａ,４ｂでは、ダイクロイックミラー１０ａ,１０ｂを囲む部材２５が透明な材料で形成されている。従って、被験者は、日常と変わらない視野を確保することができる。このような視界の違いも、瞳孔径に影響すると考えられる。
【００４０】
ところで、図４に示すように、筐体４ａの接眼部１４ａ近傍には、矯正レンズ３２を着脱自在に保持する矯正レンズ保持部材１３が設けられている。本矯正レンズ保持部材１３は、検眼枠と同じ構造を有する部材である。すなわち、本矯正レンズ保持部材１３は、円環状の支持板３４と、この支持板３４の上に固定された複数の支柱３６を有している（図４参照）。ここで、支柱３６は、少なくても１つの括れを有している。
【００４１】
矯正レンズ３２は、その外周部がこの括れに嵌り込むことによって、一時的に固定される。尚、矯正レンズ保持部材１３は、透明な材料で形成することが好ましい。
【００４２】
図５に示すように、接眼部１４ａ近傍の筐体側面には、スリット３８が設けられている（図５以外の図面では、スリット３８は省略されている。）。このスリット３８を通して、矯正レンズ３２は、筐体４ａの内部に挿入され、矯正レンズ保持部材１３に一時的に固定される。
【００４３】
このように、本筐体４ａ,４ｂは、矯正レンズを着脱自在に保持する矯正レンズ保持部材１３を有しているので、日常生活において眼鏡やコンタクレンズを使用する被験者に対しても、日常と変わらない視力を提供することができる。一方、従来の瞳孔径撮影は、矯正レンズ保持部材を有していない。従って、被験者が近視等の場合、従来の瞳孔撮影装置では、焦点が定まらない状態の瞳孔が、撮影されていた。このような場合にも、瞳孔径は、日常視とは異なったものになる。
【００４４】
ところで、従来の瞳孔撮影装置では、被験者が外界の指標を片眼で注視している状態で、瞳孔の撮影が行われていた。この場合、瞳孔径は、日常視に比べて大きくなってしまう。
【００４５】
しかし、本瞳孔撮影装置は、第１の開口部２２、第２の開口部２４、ダイクロイックミラー１０ａ,１０ｂ、及び撮影装置１１ａ,１１ｂが、被験者の右眼及び左眼の双方に対して設けられている。従って、本瞳孔撮影装置２によれば、被験者が外界の指標を両眼で注視している状態で、両眼の瞳孔の撮影を行うことができる。尚、第１の開口部２２及び第２の開口部２４を被験者の右眼及び左眼の双方に対して設け、ダイクロイックミラー及び撮影装置は片眼に対してだけ設けても良い。この場合、被験者が外界の指標を両眼で注視している状態で、片眼の瞳孔の撮影を行うことができる。
【００４６】
以上の説明から明らかなように、本筐体１２ａ,１２ｂによれば、被験者の眼に届く光の照度、被験者の視野、及び被験者の視力が、日常生活に於けるものと略同じになる。また、本筐体１２ａ,１２ｂによれば、日常生活と同じように、両眼で指標を見ることができる。
【００４７】
このように、本筐体１２ａ,１２ｂは、被験者に日常視を提供する筐体である。従って、本瞳孔撮影装置２によれば、日常視と同じ状態で瞳孔径を測定することができる。故に、本瞳孔撮影装置によれば、眼内レンズ挿入術や屈折矯正手術の治療成績が向上する。
【００４８】
尚、本実施例では、第２の開口部２４を囲む部分だけが、透明な材料で形成されている。しかし、筐体全体が、透明な材料で形成されてもよい。
【００４９】
また、筐体を形成する材料は必ずしも透明である必要はなく、透明ではないが可視光を透過する材料であってもよい。例えば、当該透明な物質に、微細な気泡を多数導入して、白濁させた材料であってもよい。このような材料で筐体を形成しても、被験者の眼に届く可視光の照度は、日常生活に於ける照度と殆ど変わらない。従って、日常視と略同じ状態を、作り出すことができる。すなわち、本筐体を形成する材料は、可視光を透過する材料、すなわち透光性の材料（透明な材料を含む）であればよい。
【００５０】
ところで、第２の開口部２４を囲む透明な部材２５の外延は、正面を向いた被験者の視線２６に対する角度によって規定することができる。
【００５１】
例えば、上記透明な部材２５（接眼部１４ａ,１４ｂ等の不透明な部材で覆われた部分を除く）に於ける（被験者の）鼻側の端と被験者の眼１８の中心を結ぶ直線３０ａが、正面を向いた被験者の視線２６と成す角度は、６０°以上（１８０°以下）であることが好ましい（図５参照）。また、上記透明な部材２５に於ける（被験者の）耳側の端と被験者の眼１８の中心を結ぶ直線３０ｂと、正面を向いた被験者の視線２６が成す角度は、１００°以上（１８０°以下）であることが好ましい（図５参照）。また、上記透明な部材２５の下側の端と被験者の眼１８の中心を結ぶ直線３０ｃと、正面を向いた被験者の視線２６が成す角度は、７５°以上（１８０°以下）であることが好ましい（図４参照）。また、上記透明な部材２５の上側の端と被験者の眼１８の中心を結ぶ直線３０ｄと、正面を向いた被験者の視線２６が成す角度は、７５°以上（１８０°以下）であることが好ましい。
【００５２】
透明な部材２５の外縁を規定する各角度がこのように広ければ、被験者の視界が筐体によって遮られることはない。また、被験者の眼には、外界から十分な照度の光が到達する。
【００５３】
但し、上記各角度を狭くしても、第２の開口部２４の周囲を囲む部材が透明であれば、従来の瞳孔撮影装置より、日常視に近い状態で瞳孔を撮影することができる。
【００５４】
例えば、右眼と左眼の視野は一部重なっているので、鼻側の直線３０ａと視線２６の成す角度は、１０°以上（１８０°以下）であってもよい。
【００５５】
また、比較的大きな撮像装置１１ａ,１１ｂを用いると、撮像装置１１ａ,１１ｂの下端が被験者の視界の上端に入ってしまうことがある。しかし、この場合でも、被験者の眼に届く可視光の照度及び被験者の視野は、日常生活におけるものと殆どかわらない。従って、透明な部材２５の上端の直線３０ｄと視線２６の成す角度は、６０°以下であってもよい。
【００５６】
尚、ダイクロイックミラー１０ａの可視光の透過率は、好ましくは９０％以上１００％以下である。更に好ましくは、当該透過率は、９５％以上１００％以下である。
【００５７】
また、ダイクロイックミラー１０ａの近赤外線の反射率は、好ましくは、９０％以上１００％以下である。更に好ましくは、当該反射率は、９５％以上１００％以下である。
【００５８】
また、ダイクロイックミラー１０ａ,１０ｂの寸法は、被験者の眼に比べ十分に大きいことが好ましい。例えば、ダイクロイックミラー１０ａ,１０ｂの縦方向及び横方向の寸法は、夫々、５０ｍｍ及び３０ｍｍであることが好ましい。
【００５９】
尚、矯正レンズを筐体に出し入れするスリットは、筐体の側面ではなく、筐体の底面に設けてもよい。また、赤外線発光素子１５が発生する赤外線は、近赤外線でなくてもよい。その場合には、ダイクロイックミラー１０a,１０bには、赤外線発光素子１５が発生する波長の長い赤外線を反射するものを使用する。
【００６０】
（２）動  作
図６は、本瞳孔撮影装置２を備えた瞳孔径測定装置４０の構成を説明するブロック図である。以下、図６を参照して、本瞳孔撮影装置２の動作を説明する。
【００６１】
瞳孔径測定装置４０は、本実施例の瞳孔撮影装置２と解析装置４１を有している。解析装置４１は、ＣＰＵ（Central Processing Unit ）及びメモリーを有する解析部４２と、ＬＣＤ（Liquid Crystal Display）等からなる表示部４４を有している。
【００６２】
解析部４２としては、特開平２００１−１７８６７９号公報に開示された信号処理部や特開平２００８−４３３５９号公報に開示された処理部を用いることができる。
【００６３】
解析部４２には、瞳孔撮影装置２を形成する撮像装置１１ａ,１１ｂの出力端子が、第１のケーブル４３によって接続されている。このケーブル４３を通して、撮像装置１１ａ,１１ｂで撮影された映像の信号が、解析部４２に送信される。また、瞳孔撮影装置２を形成する赤外線発光素子１５の入力端子には、第２のケーブル４５によって、解析部４２が接続されている。このケーブル４５を通して供給される電力によって、赤外線発光素子１５が発光する。
【００６４】
瞳孔径は、以下のような動作に従って測定される。
【００６５】
まず、ゴーグル状の瞳孔撮影装置２が、ベルト６によって、被験者の顔に固定される。
【００６６】
次に、被験者が、予め装填されていた矯正レンズ３２及びダイクロイックミラー１０ａ,１０ｂを通して、視力表のランドルト環等の指標を注視する。この時、指標によって反射された可視光は、ダイクロイックミラー１０ａ,１０ｂを通って、被験者の眼１８に入射する。更に、指標の周囲に位置する壁等によって反射された可視光も、筐体４ａ,４ｂの透明部分を透過して、被験者の眼１８に入射する。従って、被験者の眼１８には、本瞳孔撮影装置２を装着しない場合と、殆ど変らない照度の可視光が入射する。
【００６７】
次に、解析部４２から供給される電力によって、赤外線発光素子１５が発光する。すると、近赤外線が被験者の眼１８に照射される。この近赤外線は、被験者の眼１８によって反射され、さらにダイクロイックミラー１０ａ,１０ｂで全反射される。その後、近赤外線２８は、撮像装置１１ａ,１１ｂに向かって進行し、受光レンズ４６を通って撮像装置１１ａ,１１ｂのＣＣＤ撮像素子４８に結像する。
【００６８】
ＣＣＤ撮像素子４８に結ばれた被験者の眼１８の像は、撮像装置１１ａ,１１ｂによって、画像として取り込まれる。図７は、取り込まれた画像の一例である。画像の中央部には、瞳孔５０が表示されている。尚、破線で示された水平ライン５２は、下記瞳孔径候補の決定に用いられるものであり、取り込まれた画像自体には存在しない。
【００６９】
この画像は、解析部４２に送られ、その後、白黒の２値化信号に変換される。その後、解析部４２によって、水平ライン５２毎に１つの瞳孔径候補が求められる。この瞳孔径候補の中から、最も径の大きいものが瞳孔径として判定され、瞳孔径の測定値として上記メモリーに記録される。瞳孔径は、３０Ｈｚの周期で撮影される画像毎に測定され、記録される。
【００７０】
これら一連の動作は、被験者の右眼及び左眼に対し、並行して行われる。更に、解析部４２は、取得した被験者の眼１８の画像に基づいて、その瞳孔の中心位置を測定し、その水平方向の座標（以下、横方向位置と呼ぶ）を上記メモリーに記録する。瞳孔の中心位置は、両眼について測定してもよいし、本実施例のように片眼だけについて測定してもよい。
【００７１】
表示部４４には、撮影された両眼の画像や瞳孔径の時間変化等が表示される。
【００７２】
（３）瞳孔径の測定
図８は、瞳孔径の測定手順を説明するフローチャートである。図８に於いて、破線で囲われたステップは、主に測定者が行う行為である。一方、実線で囲われたステップは、瞳孔径測定装置４０が実行する動作である。図９は、瞳孔径の時間変化の一例を説明するグラフである。
【００７３】
図８及び９を参照して、瞳孔径の測定手順を説明する。尚、測定には、図６を参照して説明した瞳孔径測定装置４０を用いるものとする。
【００７４】
まず、測定者が、被験者の視力を完全に矯正する（ステップＳ１）。
【００７５】
次に、この時決定した矯正レンズを、瞳孔撮影装置２に装填する。その後、矯正レンズの装填された瞳孔撮影装置２を被験者に装着し、上記「（２）動  作」に従って瞳孔径及び瞳孔の横方向位置（水平方向）の位置を測定する(ステップＳ２)。
【００７６】
瞳孔径の測定は、被験者に約５ｍ先のランドルト環を注視させた後、被験者の眼前にペン等を差し出して注視させる。尚、差し出すペン等の位置は、被験者の顔面から約３０ｃｍの位置である。このような注視行為を、被験者に数回繰り返させる。すなわち、被験者に、遠見と近見を繰り返し行わせる。この時、被験者は、正矯正の状態で、ランドルト環やペン等の指標を両眼視する。
【００７７】
次に、測定者が、測定したデータを検討して、被験者が瞬きした時のデータを、解析対象から除外する(ステップＳ３)。
【００７８】
図９は、測定データの一例である。横軸は、撮影開始からの経過時間である。左縦軸は、瞳孔径である。右縦軸は、右眼の横方向位置である。ここで、右眼の横方向位置は、被験者の鼻に近づくほど大きくなる。図９には、右眼の瞳孔径５４と、左眼の瞳孔径５６と、右眼の横方向位置５８が、示されている。尚、図９に示した例では、被験者は、瞬きをしていない。
【００７９】
図９に示された、右眼の横方向位置５８は、増減を繰り返している。これは、眼の輻輳反射を反映したものである。すなわち、近見時には眼が鼻側により、右眼の横方向位置５８が増加する。一方、遠見時には右眼が眼孔の中央部に戻り、横方向位置５８が減少する。
【００８０】
図９に示されているように、右眼の横方向位置５８は大きく増減し、その後安定する。横方向位置５８が安定するまで遷移期間が存在する場合があるが、この期間は、被験者がランドルト環又はペンを正しく注視していない期間である。
【００８１】
そこで、本測定では、測定データから、瞳孔の横方向位置の変化が少ない期間を抽出する（ステップＳ４）。本実施例では、測定者がこの期間を抽出するが、解析装置４１に抽出を行わせてもよい。ここで、横方向位置が小さい期間６０は遠見時の期間であり、横方向位置が大きい期間６２は近見時の期間である。
【００８２】
次に、抽出した各期間を、解析装置４１に入力する。この際、夫々の期間が、遠見時又は近見時の何れであるかの区別も入力する。すると、解析装置４１は、入力された各期間に於ける、両眼の瞳孔径をメモリーから読み出す（ステップＳ５）。
【００８３】
次に、解析装置４１が、読み出したデータに基づいて、遠見時及び近見時の瞳孔径の平均値を算出する（ステップＳ６）。
【００８４】
最後に、解析装置４１が、算出した両眼の瞳孔径の平均値を、表示部４４に表示する（ステップＳ７）。
【００８５】
以上の手順に従って、平均年齢26.8±4.8歳の正常被験者20人（男10人、女10人）に対し、両眼開放にて、遠見時及び近見時の瞳孔径の平均値を測定した。測定点は、１００点である。測定時の室内照度は、200-300Luxである。
【００８６】
比較例として、従来の瞳孔径測定装置（FP-10000、テイエムアイ社製）を用いて、同一被験者について、瞳孔径の平均値を測定した。この瞳孔径測定装置は、片眼注視で瞳孔径を測定する装置である。また、筐体は筒状であり、内部は遮光されている。
【００８７】
本瞳孔径測定装置により測定した遠見時の瞳孔径の平均値は、3.4±0.2ｍｍであった。一方、従来の瞳孔径測定装置で測定した遠見時の瞳孔径の平均値は、3.2±0.1mmであった。すなわち、遠見時の瞳孔径は、本瞳孔径測定装置で測定すると大きくなる。
【００８８】
また、本瞳孔径測定装置により測定した近見時の瞳孔径の平均値は、2.7±0.1ｍｍであった。一方、従来の瞳孔径測定装置で測定した近見時の瞳孔径の平均値は、2.9±0.1ｍｍであった。すなわち、近見時の瞳孔径は、本瞳孔径測定装置で測定すると小さくなる。
【００８９】
このように、本瞳孔径測定装置と従来の瞳孔径測定装置では、異なった瞳孔径が得られる。これは、本瞳孔径測定装置によれば、日常視と略同じ状態で瞳孔径を測定することができるからである。
【００９０】
尚、矯正レンズ保持部材１３の一方に、矯正レンズ３２の代わりに可視光を通さない遮光板を挿入して、眼の撮影を行ってもよい。この様にすれば、片眼で指標を注視している状態の被験者の眼を、撮影することできる。
【００９１】
以上のように、本瞳孔撮影装置を用いる瞳孔径の測定方法は、明るい環境下で瞳孔径を測定する方法である。ここで、明るい環境とは、瞳孔径の測定時に、被験者の瞳孔が配置される位置に於ける照度が、好ましくは100Lux以上500Lux以下であり、更に好ましくは、200Lux以上300Lux以下であることを意味する。これらの照度は、日常生活に於いて、瞳孔が通常晒される可視光の強度である。
【実施例２】
【００９２】
図１０は、本実施例の瞳孔撮影装置２ａの斜視図である。図１１は、図１０の矢印XIの方向から見た瞳孔撮影装置２ａの側面図である。図１２は、図１０のXII線に沿って矢印の方向に切断された瞳孔撮影装置２ａの断面図である。図１０乃至１２で斜線が施された部分は、透明な材料で形成された部分である。
【００９３】
尚、図１０乃至１２では、筐体４を被験者の顔に固定するベルト及びその固定具は、省略されている。また、図１１には、筐体４を透視して見た撮像装置１１ａ,１１ｂ及び赤外線発光素子１５が、破線で描かれている。
【００９４】
図１０乃至１２に示すように、本瞳孔撮影装置２ａの筐体４は、両眼一体型である。すなわち、右眼及び左眼夫々に対する各部材（ダイクロイックミラー１０ａ，１０ｂ、撮影装置１１ａ,１１ｂ、矯正レンズ保持部材１３、及び赤外線発光素子１５）が、一つの筐体４の内部に格納されている。また、接眼部１４は、右眼及び左眼共用である。
【００９５】
本実施例の筐体４の構成は、一体化されている点を除き、実施例１の筐体１４ａ,１４ｂの構成と同じである。従って、本瞳孔撮影装置２ａを用いても、日常視と略同じ状態で瞳孔径を測定することができる。
【００９６】
尚、本瞳孔撮影装置２ａの動作及び本瞳孔撮影装置２ａを用いた瞳孔径の測定方法も、実施例１の本瞳孔撮影装置２の動作及び測定方法と同じである。
【００９７】
（変形例）
以上の例では、瞳孔撮影装置が、矯正レンズ保持部材を有している。しかし、瞳孔撮影装置は、矯正レンズ保持部材を有していなくてもよい。瞳孔撮影装置がフック等の装着部材を有していれば、検眼枠等の矯正レンズ保持具を、瞳孔撮影装置に装着することができる。
【００９８】
この場合、検眼枠等を用いて、被験者の視力を矯正することができる。従って、瞳孔撮影装置自体が矯正レンズ保持部材を有していなくても、正矯正の状態で、瞳孔を撮影することができる。
【符号の説明】
【００９９】
２,２ａ・・・瞳孔撮影装置      ４,４ａ,４ｂ・・・筐体
６・・・ベルト      ７ａ,７ｂ・・・ベルト固定具
８a,８ｂ・・・左右眼連結部      １０a,１０ｂ・・・ダイクロイックミラー
１１ａ,１１ｂ・・・撮像装置      １２,１２a,１２ｂ・・・本体部
１３・・・矯正レンズ保持部材      １４,１４a,１４ｂ・・・接眼部
１５・・・赤外線発光素子      １６a,１６ｂ・・・カバー
１８・・・眼      ２０・・・中心面
２２・・・第１の開口部      ２４・・・第２の開口部
２５・・・透明な部材  ２６・・・視線      ２８・・・近赤外線
３０a,３０ｂ,３０ｃ,３０ｄ・・・直線
３２・・・矯正レンズ      ３４・・・支持板
３６・・・支柱      ３８・・・スリット
４０・・・瞳孔径測定装置      ４１・・・解析装置
４２・・・解析部  ４３・・・第１のケーブル
４４・・・表示部      ４５・・・第２のケーブル
４６・・・受光レンズ
４８・・・ＣＣＤ撮像素子      ５０・・・瞳孔
５２・・・水平ライン      ５４・・・右眼の瞳孔径
５６・・・左眼の瞳孔径      ５８・・・右眼の横方向位置
６０,６２・・・期間
【図１】
2010268900.tif 000003
【図２】
2010268900.tif 000004
【図３】
2010268900.tif 000005
【図４】
2010268900.tif 000006
【図５】
2010268900.tif 000007
【図６】
2010268900.tif 000008
【図７】
2010268900.tif 000009
【図８】
2010268900.tif 000010
【図９】
2010268900.tif 000011
【図１０】
2010268900.tif 000012
【図１１】
2010268900.tif 000013
【図１２】
2010268900.tif 000014